(57)【要約】      （修正有）【課題】第１又は第２のＲＡＴを利用してアクセスポイントに接続する端末装置の台数が増加した場合においても、ユーザを満足させる通信環境を提供する。【解決手段】第１のアドレスを利用して第１の無線通信方式により第１の無線基地局装置と無線通信を行い、第２のアドレスを利用して第２の無線通信方式により第２の無線基地局装置と無線通信を行う無線端末装置において、第１のアドレスを送信元アドレス、サーバ装置のアドレスを宛先アドレスとし、更に、前記第２のアドレスを含む、前記サーバ装置に対してサービスの提供を要求するリクエストパケットを生成し、生成されたリクエストパケットを第１の無線通信方式を利用して第１の無線基地局装置へ送信し、リクエストパケットに対して、第２のアドレスを宛先アドレスとして前記サーバ装置から送信されたデータパケットを、第２の無線基地局装置から第２の無線通信方式を利用して受信する。【選択図】図１８
2018191101.tif 000002
【特許請求の範囲】
【請求項１】
第１のアドレスを利用して第１の無線通信方式により第１の無線基地局装置と無線通信を行い、第２のアドレスを利用して第２の無線通信方式により第２の無線基地局装置と無線通信を行う無線端末装置において、
前記第１のアドレスを送信元アドレス、サーバ装置のアドレスを宛先アドレスとし、更に、前記第２のアドレスを含む、前記サーバ装置に対してサービスの提供を要求するリクエストパケットを生成するリクエストデータ生成部と、
生成された前記リクエストパケットを前記第１の無線通信方式を利用して前記第１の無線基地局装置へ送信する第１の回線インタフェース部と、
前記リクエストパケットに対して、前記第２のアドレスを宛先アドレスとして前記サーバ装置から送信されたデータパケットを、前記第２の無線基地局装置から前記第２の無線通信方式を利用して受信する第２の回線インタフェース部と
を備えることを特徴とする無線端末装置。
【請求項２】
前記リクエストデータ生成部は、前記第２の回線インタフェース部において前記サーバ装置から提供されるサービスの種類を示すポート番号を含む前記リクエストパケットを生成することを特徴とする請求項１記載の無線端末装置。
【請求項３】
無線端末装置が第１のアドレスを利用して第１の無線通信方式により無線通信を行う第１の無線基地局装置、又は前記無線端末装置が第２のアドレスを利用して第２の無線通信方式により無線通信を行う第２の無線基地局装置を介して前記無線端末装置へサービスを提供するサーバ装置において、
前記第１のアドレスを送信元アドレス、サーバ装置のアドレスを宛先アドレスとし、更に、前記第２のアドレスを含むリクエストパケットを前記第１の無線基地局装置を介して前記無線端末装置から受信するパケット送受信部と、
受信した前記リクエストパケットに対して、前記リクエストパケットに含まれる前記第２のアドレスを宛先アドレスとするデータパケットを生成するパケット生成部とを備え、
前記パケット送受信部は、生成された前記データパケットを前記第２の無線基地局装置を介して前記無線端末装置へ送信することを特徴とするサーバ装置。
【請求項４】
前記パケット生成部は、前記リクエストパケットに含まれる、前記第２の無線基地局装置を介して前記無線端末装置へ提供するサービスの種類を示すポート番号を、前記データパケットの宛先ポート番号とする前記データパケットを生成することを特徴とする請求項３記載のサーバ装置。
【請求項５】
リクエストデータ生成部と、第１及び第２の回線インタフェース部を有し、第１のアドレスを利用して第１の無線通信方式により第１の無線基地局装置と無線通信を行い、第２のアドレスを利用して第２の無線通信方式により第２の無線基地局装置と無線通信を行う無線端末装置におけるパケット送信方法であって、
前記リクエストデータ生成部により、前記第１のアドレスを送信元アドレス、サーバ装置のアドレスを宛先アドレスとし、更に、前記第２のアドレスを含む、前記サーバ装置に対してサービスの提供を要求するリクエストパケットを生成し、
前記第１の回線インタフェース部により、生成された前記リクエストパケットを前記第１の無線通信方式を利用して前記第１の無線基地局装置へ送信し、
前記第２の回線インタフェース部により、前記リクエストパケットに対して、前記第２のアドレスを宛先アドレスとして前記サーバ装置から送信されたデータパケットを、前記第２の無線基地局装置から前記第２の無線通信方式を利用して受信する
ことを特徴とするパケット送信方法。
【請求項６】
パケット送受信部とパケット生成部とを有し、無線端末装置が第１のアドレスを利用して第１の無線通信方式により無線通信を行う第１の無線基地局装置、又は前記無線端末装置が第２のアドレスを利用して第２の無線通信方式により無線通信を行う第２の無線基地局装置を介して前記無線端末装置へサービスを提供するサーバ装置におけるパケット送信方法であって、
前記パケット送受信部により、前記第１のアドレスを送信元アドレス、サーバ装置のアドレスを宛先アドレスとし、更に、前記第２のアドレスを含むリクエストパケットを前記第１の無線基地局装置を介して前記無線端末装置から受信し、
前記パケット生成部により、受信した前記リクエストパケットに対して、前記リクエストパケットに含まれる前記第２のアドレスを宛先アドレスとするデータパケットを生成し、
前記パケット送受信部により、生成された前記データパケットを前記第２の無線基地局装置を介して前記無線端末装置へ送信する
ことを特徴とするパケット送信方法。
【発明の詳細な説明】
【技術分野】
【０００１】
本発明は、無線端末装置、サーバ装置、及びパケット送信方法に関する。
【背景技術】
【０００２】
近年、ＬＴＥ（Long Term Evolution）などの無線通信方式だけではなく、Ｗｉ−Ｆｉなどの無線ＬＡＮ（Local Area Network）による無線通信方式を利用して、動画などの大容量のデータを閲覧するユーザが増加している。ＬＴＥなど、通信キャリアが提供する無線通信方式をユーザが利用する場合、契約条件に応じて通信量に制限が課される場合がある。そのため、通信量に制限がなく、比較的高速な無線ＬＡＮを利用するユーザが増加している。
【０００３】
しかし、無線ＬＡＮによる無線通信方式で無線通信を行うアクセスポイントは、店内や駅など、人が密集する場所に設置される場合がある。この場合、アクセスポイントに対して接続する端末装置の台数が増加すればするほど、利用可能な無線通信帯域は逼迫する。そのため、無線ＬＡＮによる無線通信方式では、ユーザを満足させる通信環境を提供することができない場合がある。
【０００４】
他方、無線ＬＡＮ方式の場合、端末装置にＩＰ（Internet Protocol）アドレスを払い出す装置は、例えば、ＤＨＣＰ（Dynamic Host Configuration Protocol）サーバである。また、ＬＴＥ方式の場合、端末装置にＩＰアドレスを払い出す装置は、例えば、ＰＧＷ（Packet data network Gateway）である。このように、無線通信方式が異なると、異なる装置によって、端末装置に対してＩＰアドレスの払い出しが行われる。そのため、端末装置は、あるＩＰアドレスを用いて無線ＬＡＮ方式により無線通信を行い、他のＩＰアドレスを用いてＬＴＥ方式により無線通信を行う。
【０００５】
このような無線通信に関する技術として、例えば、以下がある。すなわち、第１のＲＡＴ（Radio Access Technology）のフレームにおける送信ギャップを、第２のＲＡＴのサブフレーム又はシンボルで置き換えて得られたデュアルＲＡＴフレームを送信するマルチモード基地局がある。
【０００６】
この技術によれば、ＬＴＥ規格とＩＥＥＥ（The Institute Electrical and Electronic Engineers）８０２．１６規格の２つの異なるＲＡＴの共存をサポートすることができる、とされる。
【０００７】
また、サーバ端末からサーバ側基地局とクライアント側基地局とを介してクライアント端末へは高速回線、クライアント端末からクライアント側基地局とサーバ側基地局とを介してサーバ端末へは低速回線によりそれぞれ情報伝送が行われる無線ＬＡＮシステムがある。
【０００８】
この技術によれば、非対称リンクを採用した無線ＬＡＮシステムにおいて、サーバ手段からの上り／下りの回線容量比を改善し、サーバ手段からクライアント手段への伝送スループットの向上を図ることができる、とされる。
【先行技術文献】
【特許文献】
【０００９】
【特許文献１】特表２０１２−５１０７７８号公報
【特許文献２】特開２０００−２２７０３号公報
【発明の概要】
【発明が解決しようとする課題】
【００１０】
しかし、上述した、第１のＲＡＴのフレームにおける送信ギャップを第２のＲＡＴのサブフレーム又はシンボルで置き換える技術は、端末装置において異なるＩＰアドレスを用いて第１及び第２のＲＡＴを利用する場合、どのような処理が行われるかについて何ら開示がない。また、かかる技術では、例えば、第１又は第２のＲＡＴを利用してアクセスポイントに接続する端末装置の台数が増加した場合、どのように対処するのかについても何ら開示がない。そのため、かかる技術では、アクセスポイントに接続する端末装置の台数の増加によって、無線通信帯域が逼迫し、ユーザを満足させる通信環境を提供できない場合がある。
【００１１】
また、上述した、非対称リンクを採用した無線ＬＡＮシステムは、無線ＬＡＮ方式により無線通信を行っている。従って、かかる技術でも、クライアント基地局やサーバ基地局に接続する端末装置の台数が増加した場合、ユーザを満足させる通信環境を提供できない場合がある。
【００１２】
そこで、一側面は、ユーザを満足させる通信環境を提供する無線端末装置、サーバ装置、及びパケット送信方法を提供することにある。
【００１３】
また、一側面は、無線通信帯域を効率的に使用することが可能な無線端末装置、サーバ装置、及びパケット送信方法を提供することにある。
【課題を解決するための手段】
【００１４】
一態様は、第１のアドレスを利用して第１の無線通信方式により第１の無線基地局装置と無線通信を行い、第２のアドレスを利用して第２の無線通信方式により第２の無線基地局装置と無線通信を行う無線端末装置において、前記第１のアドレスを送信元アドレス、サーバ装置のアドレスを宛先アドレスとし、更に、前記第２のアドレスを含む、前記サーバ装置に対してサービスの提供を要求するリクエストパケットを生成するリクエストデータ生成部と、生成された前記リクエストパケットを前記第１の無線通信方式を利用して前記第１の無線基地局装置へ送信する第１の回線インタフェース部と、前記リクエストパケットに対して、前記第２のアドレスを宛先アドレスとして前記サーバ装置から送信されたデータパケットを、前記第２の無線基地局装置から前記第２の無線通信方式を利用して受信する第２の回線インタフェース部とを備える。
【発明の効果】
【００１５】
一側面は、ユーザを満足させる通信環境を提供することが可能となる。また、一側面は、無線通信帯域を効率的に使用することが可能となる。
【図面の簡単な説明】
【００１６】
【図１】図１は無線通信システムの構成例を表す図である。
【図２】図２は端末装置の構成例を表す図である。
【図３】図３はサーバ装置の構成例を表す図である。
【図４】図４（Ａ）は端末装置、図４（Ｂ）はサーバ装置のハードウェア構成例を夫々表す図である。
【図５】図５（Ａ）は基地局装置、図５（Ｂ）はＡＰのハードウェア構成例を夫々表す図である。
【図６】図６は端末装置の動作例を表すフローチャートである。
【図７】図７はリクエストデータ生成処理の例を表すフローチャートである。
【図８】図８（Ａ）はパケット、図８（Ｂ）はＩＰパケットの構成例を夫々表す図である。
【図９】図９はＴＣＰパケットの構成例を表す図である。
【図１０】図１０はパケット転送処理の例を表すフローチャートである。
【図１１】図１１はサーバ装置における動作例を表すフローチャートである。
【図１２】図１２はパケット受信処理の例を表すフローチャートである。
【図１３】図１３は応答処理の例を表すフローチャートである。
【図１４】図１４はレスポンスパケットの構成例を表す図である。
【図１５】図１５はパケット生成処理の例を表すフローチャートである。
【図１６】図１６（Ａ）はＩＰパケット、図１６（Ｂ）はＴＣＰパケットの構成例を夫々表す図である。
【図１７】図１７は無線通信システムのシーケンス例を表す図である。
【図１８】図１８は無線通信システムの構成例を表す図である。
【発明を実施するための形態】
【００１７】
以下、本発明を実施するための形態について説明する。なお、以下の実施例は開示の技術を限定するものではない。そして、各実施の形態は、処理内容を矛盾させない範囲で適宜組み合わせることが可能である。また、本明細書に記載された用語や技術的内容は、３ＧＰＰ（Third Generation Partnership Project）やＩＥＥＥなど、通信に関する規格として仕様書に記載された用語や技術的内容が適宜用いられてもよい。
【００１８】
［第１の実施の形態］
＜無線通信システムの構成例＞
図１は第１の実施の形態における無線通信システム１０の構成例を表す図である。無線通信システム１０は、無線端末装置（以下、「端末」と称する場合がある。）１００と、無線基地局装置（以下、「基地局」と称する場合がある。）２００、ＡＰ（Access Point：アクセスポイント）４００を備える。また、無線通信システム１０は、ＧＷ（Gateway：ゲートウェイ）６００、及びサーバ装置（以下、「サーバ」と称する場合がある。）８００を備える。
【００１９】
なお、図１において、基地局２００は移動通信網３００に接続され、ＡＰ４００は公衆Ｗｉ−Ｆｉ網５００に接続される。また、ＧＷ６００とサーバ８００はインターネット７００に接続される。
【００２０】
端末１００は、例えば、フィーチャーフォン、スマートフォン、タブレット端末、パーソナルコンピュータ、ゲーム装置などの無線通信装置である。端末１００は、基地局２００やＡＰ４００の各通信可能範囲に在圏すると、基地局２００やＡＰ４００と無線通信を行って、サーバ８００から提供される様々なサービスの提供を受けることができる。この場合、端末１００は、例えば、ＬＴＥ通信用として使用可能な端末１００のアドレスを利用して、基地局２００とＬＴＥによる無線通信方式により無線通信を行う。また、端末１００は、例えば、無線ＬＡＮ用として使用可能な端末１００のアドレスを利用して、ＡＰ４００と無線ＬＡＮによる無線通信方式により無線通信を行う。端末１００は異なるアドレスを利用して基地局２００やＡＰ４００と無線通信を行う。なお、以下では、アドレスとして、例えば、ＩＰアドレスを例にして以下説明する。
【００２１】
基地局２００は、例えば、端末１００との間で無線信号を送受信し、サーバ８００との間でパケットデータ（以下、「パケット」）を交換する無線通信装置である。基地局２００は、無線信号をパケットに変換したり、パケットを無線信号に変換したりするインタフェースの役割を果たす。
【００２２】
基地局２００は、例えば、端末１００と無線信号を送受信する際に、ＬＴＥによる無線通信方式（以下、「ＬＴＥ方式」と称する場合がある。）を利用する。ＬＴＥ方式では、基地局２００がスケジューリングを行って、端末１００に対して無線リソースを割り当て、割り当てた無線リソースを利用して基地局２００と端末１００は無線通信を行う。
【００２３】
ＡＰ４００は、例えば、端末１００との間で無線信号を送受信し、サーバ８００との間でパケットを交換する無線通信装置又は無線基地局装置である。ＡＰ４００も、基地局２００と同様に、無線信号をパケットに変換したり、パケットを無線信号に変換したりするインタフェースの役割を果たす。
【００２４】
ＡＰ４００は、例えば、端末１００と無線信号を送受信する際に、無線ＬＡＮによる無線通信方式（以下、「無線ＬＡＮ方式」と称する場合がある。）を利用する。無線ＬＡＮ方式では、例えば、ＡＰ４００は、受信電力がキャリアセンス閾値以下のとき端末１００に対して送信機会を得て無線信号を送受信することが可能となり、受信電力がキャリアセンス閾値を超えるときは無線信号を送受信しない。このような無線通信方式を、例えば、キャリアセンス方式と称する場合がある。無線ＬＡＮ方式としては、Ｗｉ−ＦｉやＢｌｕｅｔｏｏｔｈ（登録商標）などがある。Ｗｉ−Ｆｉは、例えば、ＷｉＦｉ−Ａｌｌｉａｎｃｅによって認定された無線ＬＡＮの規格であって、ＩＥＥＥ８０２．１１規格が利用される。Ｗｉ−Ｆｉと無線ＬＡＮを区別しない場合もある。また、Ｂｌｕｅｔｏｏｔｈは、例えば、ＩＥＥＥ８０２．１５．１規格が利用される。
【００２５】
ＧＷ６００は、移動通信網３００を介して基地局２００から送信されたパケットをサーバ８００へ送信したり、公衆Ｗｉ−Ｆｉ網５００を介してＡＰ４００から送信されたパケットをサーバ８００へ送信したりする。また、ＧＷ６００は、サーバ８００から送信されたパケットを、移動通信網３００を介して基地局２００へ送信したり、公衆Ｗｉ−Ｆｉ網５００を介してＡＰ４００へ送信したりする。
【００２６】
この際、ＧＷ６００は、サーバ８００から受信したパケットの宛先ＩＰアドレスがＬＴＥ通信用として使用可能なＩＰアドレスの場合、受信したパケットを、移動通信網３００を介して基地局２００へ送信する。一方、ＧＷ６００は、受信したパケットの宛先ＩＰアドレスが、無線ＬＡＮ通信用として使用可能なＩＰアドレスの場合、受信したパケットを公衆Ｗｉ−Ｆｉ網５００を介してＡＰ４００へ送信する。そのため、ＧＷ６００では、端末１００に払い出された２つのＩＰアドレスをメモリなどに保持している。そして、ＧＷ６００は、受信したパケットに含まれる宛先ＩＰアドレスとメモリに保持したＩＰアドレスとに基づいて、受信したパケットの宛先を基地局２００とするかＡＰ４００とするかを決定している。
【００２７】
サーバ８００は、例えば、端末１００に対してサービスを提供する通信装置である。サーバ８００は、例えば、大容量のメモリなどを備え、メモリに記憶したコンテンツデータなどを、端末１００からの要求に応じて端末１００へ送信する。サービスとしては、例えば、Ｗｅｂ閲覧サービスやファイル転送サービス、コンテンツ配信サービスなどがある。
【００２８】
本第１の実施の形態においては、端末１００は、リクエストパケットを基地局２００経由でサーバ８００へ送信し、サーバ８００は、リクエストパケットに対応するデータパケットをＡＰ４００経由で端末１００へ送信する。ここで、リクエストパケットは、例えば、端末１００がサーバ８００に対してサービスの提供を要求することを表すパケットである。また、データパケットは、例えば、リクエストパケットに対して、サーバ８００が端末１００に提供するサービスに関するデータを含むパケットである。詳細は動作例で説明する。
【００２９】
なお、図１に示す例では、端末１００は１台の例を示しているが、複数台あってもよい。
【００３０】
また、本第１の実施の形態においては、ＬＴＥ方式を、例えば、移動通信（又は移動通信方式）と称する場合がある。さらに、無線ＬＡＮ方式により無線通信を行う無線通信方式の例として、以下では、Ｗｉ−Ｆｉを例にして説明する。
【００３１】
以下、端末１００やサーバ８００などの各構成例について説明する。
【００３２】
＜端末装置の構成例＞
図２は端末１００の構成例を表す図である。端末１００は、移動通信用回線インタフェース部１１０と、Ｗｉ−Ｆｉ用回線インタフェース部１２０、通信制御部１３０、及びアプリケーション処理部１４０を備える。また、通信制御部１３０は、リクエストデータ生成部（又はリクエストパケットデータ生成部。以下、「リクエストデータ生成部」）１３１とパケット送受信部１３２を備える。
【００３３】
移動通信用回線インタフェース部１１０は、パケット送受信部１３２からパケット（例えばリクエストパケット）を受け取り、受け取ったパケットに含まれるデータなどを無線信号に変換し、変換した無線信号を基地局２００へ送信する。その際、移動通信用回線インタフェース部１１０は、パケット送受信部１３２から受け取ったスケジューリング結果に従って、無線信号へ変換したり、無線信号を送信したりする。
【００３４】
また、移動通信用回線インタフェース部１１０は、基地局２００から送信された無線信号を受信し、受信した無線信号からユーザデータなどを抽出することで、ユーザデータなどを含むパケット（例えばデータパケット）を抽出する。移動通信用回線インタフェース部１１０は、抽出したパケットをパケット送受信部１３２へ出力する。その際、移動通信用回線インタフェース部１１０は、パケット送受信部１３２から受け取ったスケジューリング結果に従って、無線信号を受信し、受信した無線信号からパケットを抽出する。
【００３５】
さらに、移動通信用回線インタフェース部１１０は、リクエストデータ生成部１３１からの要求に応じて、移動通信用のＩＰアドレスをリクエストデータ生成部１３１へ出力する。このため、移動通信用回線インタフェース部１１０は、例えば、移動通信網３００に接続されたＰＧＷで払い出されて、ＰＧＷから受信した移動通信用の端末１００のＩＰアドレス（以下では、「移動通信用ＩＰアドレス」と称する場合がある。）を、メモリなどに保持する。移動通信用回線インタフェース部１１０は、要求に応じてメモリから移動通信用ＩＰアドレスを読み出すことが可能となっている。
【００３６】
Ｗｉ−Ｆｉ用回線インタフェース部１２０は、パケット送受信部１３２からパケットを受け取り、受け取ったパケットからデータなどを抽出し、抽出したデータなどを無線信号に変換し、変換した無線信号をＡＰ４００へ送信する。その際、Ｗｉ−Ｆｉ用回線インタフェース部１２０は、例えば、受信電力がキャリアセンス閾値以下となっている周波数を利用して無線信号をＡＰ４００へ送信する。
【００３７】
また、Ｗｉ−Ｆｉ用回線インタフェース部１２０は、ＡＰ４００から送信された無線信号を受信し、受信した無線信号からユーザデータなどを抽出することで、ユーザデータなどを含むパケット（例えばデータパケット）を抽出する。Ｗｉ−Ｆｉ用回線インタフェース部１２０は、抽出したパケットをパケット送受信部１３２へ出力する。その際、Ｗｉ−Ｆｉ用回線インタフェース部１２０は、例えば、受信電力がキャリアセンス閾値以下となっている周波数を利用して無線信号をＡＰ４００から受信する。
【００３８】
さらに、Ｗｉ−Ｆｉ用回線インタフェース部１２０は、リクエストデータ生成部１３１からの要求に応じて、Ｗｉ−Ｆｉ用の端末１００のＩＰアドレス（以下では、「Ｗｉ−Ｆｉ用ＩＰアドレス」と称する場合がある。）をリクエストデータ生成部１３１へ出力する。このため、Ｗｉ−Ｆｉ用回線インタフェース部１２０は、例えば、公衆Ｗｉ−Ｆｉ網５００に接続されたＤＨＣＰサーバで払い出されて、ＤＨＣＰサーバから受信したＷｉ−Ｆｉ用ＩＰアドレスを、メモリなどに保持する。Ｗｉ−Ｆｉ用回線インタフェース部１２０は、要求に応じてメモリからＷｉ−Ｆｉ用ＩＰアドレスを読み出すことが可能となっている。
【００３９】
リクエストデータ生成部１３１は、移動通信用回線インタフェース部１１０から移動通信用ＩＰアドレスを取得し、Ｗｉ−Ｆｉ用回線インタフェース部１２０からＷｉ−Ｆｉ用ＩＰアドレスを取得する。また、リクエストデータ生成部１３１は、例えば、メモリに記憶されたサーバ８００のＩＰアドレスをメモリから読み出す。
【００４０】
また、リクエストデータ生成部１３１は、アプリケーション処理部１４０から送信元ポート番号と宛先ポート番号とを取得する。ポート番号は、例えば、サービス又はアプリケーションの種類などを識別する識別情報である。例えば、端末１００がＨＴＴＰ（Hypertext Transfer Protocol）によるＷｅｂ閲覧サービスをサーバ８００に対して要求する場合、送信元（端末１００）と宛先（サーバ８００）のポート番号は「８０」となる。
【００４１】
この際、リクエストデータ生成部１３１は、端末１００がＡＰ４００を介してサービスの提供を受ける場合に利用するポート番号（以下では、「返送先ポート番号」と称する場合がある。）を、アプリケーション処理部１４０から取得する。返送先ポート番号は、例えば、Ｗｉ−Ｆｉ用回線インタフェース部１２０を利用してサーバ８００から提供されるサービス又はアプリケーションの種類を示す識別情報である。
【００４２】
そして、リクエストデータ生成部１３１は、これらのＩＰアドレスとポート番号とを含むリクエストパケットを生成する。
【００４３】
例えば、リクエストデータ生成部１３１は、ＩＰパケットのヘッダ領域に送信元アドレスとして移動通信用ＩＰアドレス、宛先アドレスとしてサーバ８００のＩＰアドレス、データ領域に、Ｗｉ−Ｆｉ用ＩＰアドレスと返送先ポート番号とを含むリクエストパケットを生成する。
【００４４】
このように、リクエストデータ生成部１３１は、Ｗｉ−Ｆｉ用ＩＰアドレスと返送先ポート番号とを含むリクエストパケットを生成し、生成したリクエストパケットをパケット送受信部１３２へ出力する。リクエストパケットの詳細は動作例で説明する。
【００４５】
なお、リクエストデータ生成部１３１は、例えば、ＩＰパケットのデータ領域に、リクエストデータを挿入する。リクエストデータとしては、例えば、ＨＴＴＰヘッダ領域にリクエストを示す情報が挿入されたＨＴＴＰパケットなどがある。リクエストデータは、例えば、ＯＳＩ（Open System Interconnection）参照モデルのアプリケーションレイヤにおいて、リクエストデータであることを示すパケットであってよい。リクエストデータ生成部１３１は、例えば、アプリケーション処理部１４０からの要求に応じて、リクエストデータを生成し、生成したリクエストデータをＩＰパケットのデータ領域に挿入して、リクエストパケットを生成する。
【００４６】
また、以下では、返送先ＩＰアドレスとＷｉ−Ｆｉ用ＩＰアドレスとを区別しないで用いる場合がある。
【００４７】
パケット送受信部１３２は、移動通信用回線インタフェース部１１０やＷｉ−Ｆｉ用回線インタフェース部１２０からデータパケットを受け取ると、受け取ったデータパケットをアプリケーション処理部１４０へ転送する。
【００４８】
また、パケット送受信部１３２は、アプリケーション処理部１４０からパケットを受け取ると、例えば、パケットに含まれるＩＰアドレスに基づいて、受け取ったパケットを移動通信用回線インタフェース部１１０又はＷｉ−Ｆｉ用回線インタフェース部１２０へ転送する。
【００４９】
さらに、パケット送受信部１３２は、リクエストデータ生成部１３１からリクエストパケットを受け取ると、受け取ったリクエストパケットを移動通信用回線インタフェース部１１０へ出力する。
【００５０】
なお、パケット送受信部１３２は、移動通信用回線インタフェース部１１０を介して、基地局２００から送信された制御信号を受信すると、制御信号に含まれるスケジューリング結果を抽出し、抽出したスケジューリング結果を移動通信用回線インタフェース部１１０へ出力する。
【００５１】
アプリケーション処理部１４０は、パケット送受信部１３２からパケットを受け取り、受け取ったパケットからユーザデータなどを抽出し、ユーザデータに対してアプリケーションに関する処理を行う。これにより、例えば、端末１００ではサーバ８００から提供されるサービスを実行することが可能となる。
【００５２】
また、アプリケーション処理部１４０は、リクエストデータ生成部１３１からの要求に応じて、返送先ポート番号を含むポート番号をリクエストデータ生成部１３１へ出力する。アプリケーション処理部１４０は、例えば、基地局２００を介してサーバ８００から受けるサービスや、ＡＰ４００を介してサーバ８００から受けるサービスの種別などに応じて、ポート番号をメモリから読み出して、リクエストデータ生成部１３１へ出力する。
【００５３】
＜サーバ装置の構成例＞
図３はサーバ８００の構成例を表す図である。サーバ８００は、回線インタフェース部８１０、書き換え機能部８２０、及びアプリケーション処理部８３０を備える。書き換え機能部８２０は、パケット生成部８２２、パケット送受信部８２１、及び応答生成部８２３を備える。
【００５４】
回線インタフェース部８１０は、基地局２００やＡＰ４００から送信されたパケット（例えばリクエストパケット）を受信し、受信したパケットをパケット送受信部８２１へ転送する。また、回線インタフェース部８１０は、パケット送受信部８２１からパケット（例えばデータパケット）を受け取り、受け取ったパケットを、ＧＷ６００を介して基地局２００やＡＰ４００へ送信する。
【００５５】
パケット送受信部８２１は、回線インタフェース部８１０からパケットを受け取り、受け取ったパケットに返送先ＩＰアドレスと返送先ポート番号が含まれているか否かを確認する。パケット送受信部８２１は、受け取ったパケットに返送先ＩＰアドレスと返送先ポート番号が含まれているときは、受け取ったパケットをパケット生成部８２２と応答生成部８２３へ転送する。また、パケット送受信部８２１は、返送先ＩＰアドレスと返送先ポート番号が含まれていないときは、受け取ったパケットを応答生成部８２３へ転送する。
【００５６】
また、パケット送受信部８２１は、パケット生成部８２２や応答生成部８２３からパケットを受け取ると、受け取ったパケットを回線インタフェース部８１０へ転送する。
【００５７】
パケット生成部８２２は、パケット送受信部８２１からリクエストパケットを受け取ると、受け取ったリクエストパケットから返送先ＩＰアドレスと返送先ポート番号を抽出する。また、パケット生成部８２２は、受け取ったリクエストパケットをアプリケーション処理部８３０へ転送する。そして、パケット生成部８２２は、リクエストパケットに対応するユーザデータなどをアプリケーション処理部８３０から受け取ると、受け取ったユーザデータなどを含むデータパケットを生成する。この際、パケット生成部８２２は、宛先ＩＰアドレスを返送先ＩＰアドレス、宛先ポート番号を返送先ポート番号としたデータパケットを生成する。パケット生成部８２２は、生成したデータパケットをパケット送受信部８２１へ出力する。
【００５８】
応答生成部８２３は、パケット送受信部８２１からリクエストパケットを受け取ると、受け取ったリクエストパケットに応答するレスポンスパケットを生成する。応答生成部８２３は、生成したレスポイントパケットをパケット送受信部８２１へ転送する。
【００５９】
また、応答生成部８２３は、パケット送受信部８２１からリクエストパケットを受け取ると、返送先ＩＰアドレスと返送先ポート番号とを含まないリクエストデータが含まれているときは、受け取ったリクエストパケットをアプリケーション処理部８３０へ出力する。そして、応答生成部８２３は、リクエストパケットに対応するユーザデータなどをアプリケーション処理部８３０から受け取ると、受け取ったユーザデータなどを含むデータパケットを生成する。応答生成部８２３は、生成したデータパケットをパケット送受信部８２１へ出力する。
【００６０】
アプリケーション処理部８３０は、パケット生成部８２２や応答生成部８２３からリクエストパケットを受け取ると、例えば、アプリケーション処理を実行して、対応するユーザデータなどをメモリから読み出す。そして、アプリケーション処理部８３０は、読み出したユーザデータなどをパケット生成部８２２や応答生成部８２３へ出力する。
【００６１】
図４（Ａ）は端末１００のハードウェア構成例、図４（Ｂ）はサーバ８００のハードウェア構成例をそれぞれ表す図である。
【００６２】
端末１００は、更に、ＣＰＵ（Central Processing Unit）１５０とメモリ１５１を備える。ＣＰＵ１５０は、メモリ１５１に記憶されたプログラムを読み出して実行することで、リクエストデータ生成部１３１とパケット送受信部１３２、及びアプリケーション処理部１４０の機能を実行する。ＣＰＵ１５０は、例えば、リクエストデータ生成部１３１、パケット送受信部１３２、及びアプリケーション処理部１４０に対応する。
【００６３】
サーバ８００は、更に、ＣＰＵ８５０とメモリ８５１を備える。ＣＰＵ８５０は、メモリ８５１に記憶されたプログラムを読み出して実行することで、パケット送受信部８２１、パケット生成部８２２、応答生成部８２３、及びアプリケーション処理部８３０の機能を実行する。ＣＰＵ８５０は、例えば、パケット送受信部８２１、パケット生成部８２２、応答生成部８２３、及びアプリケーション処理部８３０に対応する。
【００６４】
なお、ＣＰＵ１５０，８５０に代えて、ＭＰＵ（Micro Processing Unit）やＦＰＧＡ（Field-Programmable Gate Array）、ＤＳＰ（Digital Processing Unit）などのプロセッサやコントローラなどで代用されてもよい。
【００６５】
＜その他の装置の構成例＞
図５（Ａ）は基地局２００の構成例を表す図である。基地局２００は、無線側回線インタフェース部２１０、有線側回線インタフェース部２２０、ＣＰＵ２５０、及びメモリ２５１を備える。
【００６６】
無線側回線インタフェース部２１０は、ＣＰＵ２５０からパケット（例えばデータパケット）を受け取ると、ＣＰＵ２５０から受け取ったスケジューリング結果に従って、受け取ったパケットに含まれるデータなどを無線信号に変換する。また、無線側回線インタフェース部２１０は、スケジューリング結果を含む制御信号を生成し、生成した制御信号を無線信号に変換する。無線側回線インタフェース部２１０は、無線信号を端末１００へ送信する。
【００６７】
また、無線側回線インタフェース部２１０は、端末１００から送信された無線信号を受信し、ＣＰＵ２５０から受け取ったスケジューリング結果に従って、受信した無線信号からデータなどを抽出することで、データなどを含むパケット（例えばリクエストパケット）を抽出する。無線側回線インタフェース部２１０は、抽出したパケットをＣＰＵ２５０へ出力する。
【００６８】
有線側回線インタフェース部２２０は、サーバ８００から送信されたパケットを受信し、受信したパケットをＣＰＵ２５０へ出力する。また、有線側回線インタフェース部２２０は、ＣＰＵ２５０からパケットを受け取ると、受け取ったパケットをサーバ８００へ送信する。
【００６９】
ＣＰＵ２５０は、メモリ２５１に記憶されたプログラムを読み出して実行することで、スケジューリング処理やパケット転送処理などを実行する。スケジューリング処理は、例えば、端末１００に対して無線リソースを割り当てたり、無線信号に対する変調方式や誤り訂正符号化方式などを決定したりする処理である。また、パケット転送処理は、例えば、以下のような処理である。すなわち、ＣＰＵ２５０は、無線側回線インタフェース部２１０からパケットを受け取ると、受け取ったパケットを有線側回線インタフェース部２２０へ出力したり、有線側回線インタフェース部２２０から受け取ったパケットを無線側回線インタフェース部２１０へ出力したりする。
【００７０】
ＡＰ４００は、無線側回線インタフェース部４１０、有線側回線インタフェース部４２０、ＣＰＵ４５０、及びメモリ４５１を備える。
【００７１】
無線側回線インタフェース部４１０は、例えば、ＣＰＵ４５０からパケット（例えばデータパケット）を受け取ると、パケットに含まれるデータなどを無線信号へ変換する。そして、無線側回線インタフェース部４１０は、キャリアセンスを行い、キャリアセンス閾値以下となっている周波数を利用して、変換した無線信号を端末１００へ送信する。
【００７２】
また、無線側回線インタフェース部４１０は、例えば、キャリアセンス閾値以下となっている周波数を利用して、端末１００から送信された無線信号を受信すると、受信した無線信号からデータなどを抽出することで、データなどを含むパケットを抽出する。無線側回線インタフェース部４１０は、抽出したパケットをＣＰＵ４５０へ出力する。
【００７３】
有線側回線インタフェース部４２０は、サーバ８００から送信されたパケットを受信し、受信したパケットをＣＰＵ４５０へ転送したり、ＣＰＵ４５０から受け取ったパケットをサーバ８００へ送信したりする。
【００７４】
ＣＰＵ４５０は、メモリ４５１に記憶されたプログラムを読み出して実行することで、パケット転送処理などを行う。すなわち、ＣＰＵ４５０は、無線側回線インタフェース部４１０から受け取ったパケットを有線側回線インタフェース部４２０へ出力したり、有線側回線インタフェース部４２０から受け取ったパケットを無線側回線インタフェース部４１０へ出力したりする。
【００７５】
＜動作例＞
次に動作例について説明する。動作例は以下の順番で説明する。
＜１．端末装置における動作例＞
＜２．サーバ装置における動作例＞
＜３．無線通信システムのシーケンス例＞
【００７６】
＜１．端末装置における動作例＞
図６は端末１００における動作例を表すフローチャートである。
【００７７】
端末１００は、ユーザによる操作などによって、サービス提供に関するリクエストが発生すると処理を開始する（Ｓ１０）。例えば、アプリケーション処理部１４０は、ユーザによる画面操作を検知することで、サービス提供に関するリクエストの発生を検出する。
【００７８】
次に、端末１００は、リクエストデータ生成部１３１においてリクエストパケットを生成するリクエストパケット生成処理を行う（Ｓ１１）。
【００７９】
図７は、リクエストパケット生成処理の例を表すフローチャートである。
【００８０】
リクエストデータ生成部１３１は、処理を開始すると（Ｓ１１０）、アプリケーション処理部１４０から返送先ポート番号を取得する（Ｓ１１１）。例えば、リクエストデータ生成部１３１は、アプリケーション処理部１４０からサービス提供に関するリクエストが発生したことを示す通知を受け取ると、アプリケーション処理部１４０に対して返送先ポート番号を出力するよう指示する。この指示に従って、リクエストデータ生成部１３１は、アプリケーション処理部１４０から返送先ポート番号を取得する。
【００８１】
次に、リクエストデータ生成部１３１は、各回線インタフェース部１１０，１２０から移動通信用ＩＰアドレスとＷｉ−Ｆｉ用ＩＰアドレスを取得する（Ｓ１１２）。例えば、リクエストデータ生成部１３１は、ＩＰアドレスの出力を各回線インタフェース部１１０，１２０へ指示することで、移動通信用回線インタフェース部１１０から移動通信用ＩＰアドレス、Ｗｉ−Ｆｉ用回線インタフェース部１２０からＷｉ−Ｆｉ用ＩＰアドレスを取得する。
【００８２】
次に、リクエストデータ生成部１３１は、リクエストパケットを生成する（Ｓ１１３）。
【００８３】
図８（Ａ）はリクエストパケットの構成例を表す図である。パケットのネットワークレイヤは、ＩＰパケットとなっている。ＩＰパケットは、ＩＰヘッダ領域とＩＰデータ領域とを含む。ＩＰデータ領域には、トランスポートレイヤのパケットとしてＴＣＰ（Transmission Control Protocol）パケットが含まれている。ＴＣＰパケットは、ＴＣＰヘッダ領域とＴＣＰペイロード領域とを含む。
【００８４】
図８（Ｂ）は、リクエストパケットのＩＰパケット部分の構成例を表す図である。ＩＰヘッダ領域には、送信元ＩＰアドレスと宛先（又は送信先。以下、「宛先」と称する場合がある。）ＩＰアドレスとが挿入される領域がある。リクエストデータ生成部１３１は、送信元ＩＰアドレスとして移動通信用ＩＰアドレス、宛先ＩＰアドレスとしてサーバ８００のＩＰアドレスを、各領域に挿入する。さらに、リクエストデータ生成部１３１は、返送先ＩＰアドレスと返送先ポート番号とをＩＰデータ領域に挿入する。
【００８５】
なお、ＩＰデータ領域において、図８（Ｂ）に示すＩＰパケットがリクエストパケットであることを示すリクエストデータが挿入される。
【００８６】
図９は、ＩＰデータ領域に挿入されるＴＣＰパケットの構成例を表す図である。ＴＣＰヘッダ領域には、送信元ポート番号と宛先ポート番号とが挿入される領域がある。リクエストデータ生成部１３１は、ＩＰデータ領域にＴＣＰパケットが含まれる場合、ＴＣＰパケットのＴＣＰペイロード領域に、返送先ＩＰアドレスと返送先ポート番号とを挿入する。
【００８７】
図７に戻り、このように、リクエストデータ生成部１３１は、移動通信用ＩＰアドレスをＩＰヘッダ領域の送信元アドレス領域に挿入し、Ｗｉ−Ｆｉ用ＩＰアドレスと返送先ポート番号とをＩＰデータ領域（又はＴＣＰペイロード領域）に挿入したリクエストパケットを生成する。
【００８８】
次に、リクエストデータ生成部１３１は、生成したリクエストパケットをパケット送受信部１３２へ出力し、サーバ８００への送信を指示する（Ｓ１１４）。
【００８９】
そして、リクエストデータ生成部１３１は、リクエストパケット生成処理を終了する（Ｓ１１５）。
【００９０】
図６に戻り、次に、端末１００はパケット送受信部１３２においてリクエストパケットのパケット転送処理を行う（Ｓ１２）。
【００９１】
図１０は、パケット転送処理の例を表すフローチャートである。
【００９２】
パケット送受信部１３２は、どこからパケットを受け取ったかを判別する（Ｓ１２１）。パケット送受信部１３２は、リクエストデータ生成部１３１からパケット（リクエストパケット）を受け取ったとき（Ｓ１２１で「リクエストデータ生成部」のとき）、受け取ったリクエストパケットを移動通信用回線インタフェース部１１０へ転送する（Ｓ１２２）。リクエストパケットは、移動通信用回線インタフェース部１１０から基地局２００へ送信される。
【００９３】
そして、パケット送受信部１３２は、パケット転送処理を終了する（Ｓ１２３）。
【００９４】
一方、パケット送受信部１３２は、移動通信用回線インタフェース部１１０やＷｉ−Ｆｉ用回線インタフェース部１２０からパケットを受け取ったとき（Ｓ１２１で「回線インタフェース」のとき）、受け取ったパケットをアプリケーション処理部１４０へ転送する（Ｓ１２４）。この場合のパケットは、例えば、サーバ８００から送信されたデータパケットである。
【００９５】
そして、パケット送受信部１３２は、パケット転送処理を終了する（Ｓ１２３）。
【００９６】
図６に戻り、端末１００は、パケット転送処理（Ｓ１２）を終了すると、一連の処理を終了する（Ｓ１３）。
【００９７】
＜２．サーバ装置における動作例＞
次にサーバ８００における動作例について説明する。図１１は、サーバ８００における動作例を表すフローチャートである。
【００９８】
サーバ８００は、端末１００から送信されたリクエストパケットを受信すると処理を開始する（Ｓ２０）。
【００９９】
次に、サーバ８００は、パケット送受信部８２１においてパケットを受信するとパケット受信処理を行う（Ｓ２１）。
【０１００】
図１２はパケット受信処理の例を表すフローチャートである。
【０１０１】
パケット送受信部８２１は、パケットを受け取ると、処理を開始し（Ｓ２１０）、受け取ったパケットがどこから受け取ったパケットかを判別する（Ｓ２１１）。
【０１０２】
パケット送受信部８２１は、パケット生成部８２２又は応答生成部８２３からパケットを受け取ったとき（Ｓ２１１で「パケット生成部or応答生成部」のとき）、受け取ったパケットを回線インタフェース部８１０へ転送する（Ｓ２１２）。例えば、パケット送受信部８２１は、受け取ったパケットのＩＰヘッダ領域の宛先アドレスが端末１００のＩＰアドレスであるときや送信元アドレスがサーバ８００のＩＰアドレスのときは、パケット生成部８２２又は応答生成部８２３から受け取ったパケットと判別する。そして、パケット送受信部８２１は、そのように判別したパケットを回線インタフェース部８１０へ転送する。パケットは、回線インタフェース部８１０から、端末１００へ向けて送信される。
【０１０３】
そして、パケット送受信部８２１は、パケット受信処理を終了する（Ｓ２１３）。
【０１０４】
一方、パケット送受信部８２１は、回線インタフェース部８１０からパケットを受け取ったとき（Ｓ２１１で「回線インタフェース部」のとき）、受け取ったパケットに返送先ＩＰアドレスと返送先ポート番号が含まれているか否かを判別する（Ｓ２１４）。例えば、パケット送受信部８２１は、以下の処理を行う。すなわち、パケット送受信部８２１は、受け取ったパケットのＩＰヘッダ領域における宛先アドレスがサーバ８００であるとき、回線インタフェース部８１０から受け取ったパケットと判別する。そして、パケット送受信部８２１は、ＩＰデータ領域に返送先ＩＰアドレスと返送先ポート番号が挿入されているか否かを判別する。
【０１０５】
パケット送受信部８２１は、パケット内に返送先ＩＰアドレスと返送先ポート番号が含まれているとき（Ｓ２１４で「ある」のとき）、回線インタフェース部８１０から受け取ったパケット（リクエストパケット）を、パケット生成部８２２と応答生成部８２３へ転送する（Ｓ２１５）。
【０１０６】
そして、パケット送受信部８２１は、パケット受信処理を終了する（Ｓ２１３）。
【０１０７】
一方、パケット送受信部８２１は、パケット内に返送先ＩＰアドレスと返送先ポート番号が含まれていないとき（Ｓ２１４で「なし」のとき）、回線インタフェース部８１０から受け取ったパケットを、応答生成部８２３へ転送する（Ｓ２１６）。
【０１０８】
そして、パケット送受信部８２１は、パケット受信処理を終了する（Ｓ２１３）。
【０１０９】
図１１に戻り、端末１００は、パケット受信処理（Ｓ２１）を終了すると、応答生成部８２３において応答処理を行う（Ｓ２２）。
【０１１０】
図１３は、応答処理の例を表すフローチャートである。
【０１１１】
応答生成部８２３は、パケット送受信部８２１からリクエストパケットを受け取ると応答処理を開始する（Ｓ２２０）。
【０１１２】
次に、応答生成部８２３は、受け取ったリクエストパケットに返送先ＩＰアドレスが含まれているか否かを判別する（Ｓ２２１）。例えば、応答生成部８２３は、ＩＰデータ領域に返送先ＩＰアドレス（又はＴＣＰペイロード領域に返送先ＩＰアドレス。例えば図８（Ｂ）や図９）が挿入されているか否かを確認することで判別する。
【０１１３】
応答生成部８２３は、リクエストパケット内に返送先ＩＰアドレスが含まれているとき（Ｓ２２１で「ある」のとき）、送信元ＩＰアドレスを宛先ＩＰアドレスとし、サービスに関するデータ部分をなくしたレスポンスパケットを生成する（Ｓ２２２）。
【０１１４】
図１４はレスポンスパケットの構成例を表す図である。図１４の例では、ＩＰデータ領域にサービスに関するデータが含まれていない例を表している。トランスポートレイヤがＴＣＰの場合、ＩＰデータ領域にＴＣＰパケットが含まれる。しかし、レスポンスパケットの場合、ＴＣＰペイロード領域には、ユーザデータが含まれず、レスポンスパケットであることを示すレスポンスデータが含まれる。レスポンスデータの例としては、例えば、ＨＴＴＰヘッダ領域にレスポンスデータであることを示す情報が挿入されたＨＴＴＰパケットがある。
【０１１５】
また、レスポンスパケットのＩＰヘッダ領域においては、宛先ＩＰアドレスとして、端末１００のＩＰアドレス（移動通信用ＩＰアドレス）が挿入される。パケット送受信部８２１から受け取ったリクエストパケットのＩＰヘッダ領域に挿入された送信元ＩＰアドレス（移動通信用ＩＰアドレス）が、レスポンスパケットの宛先ＩＰアドレスとなる。さらに、レスポンスパケットのＩＰヘッダ領域の送信元ＩＰアドレス領域には、サーバ８００のＩＰアドレスが挿入される。
【０１１６】
このように、応答生成部８２３は、パケット送受信部８２１から受け取ったリクエストパケットの送信元ＩＰアドレスを、宛先ＩＰアドレスとし、ＩＰデータ領域にはサービスに関するユーザデータを含まないレスポンスパケットを生成する。そして、応答生成部８２３は、生成したレスポンスパケットをパケット送受信部８２１へ出力する。
【０１１７】
図１３に戻り、応答生成部８２３は、レスポンスパケットをパケット送受信部８２１へ出力すると（Ｓ２２２）、応答処理を終了する（Ｓ２２３）。
【０１１８】
一方、応答生成部８２３は、リクエストパケット内に返送先ＩＰアドレスが含まれていないとき（Ｓ２２１で「なし」のとき）、アプリケーション処理部８３０へリクエストパケットを転送する。そして、応答生成部８２３は、リクエストパケットに対応する処理の結果を、アプリケーション処理部８３０から受け取る（Ｓ２２４）。例えば、応答生成部８２３は、以下の処理を行う。すなわち、応答生成部８２３は、処理の結果として、サービスに関するユーザデータをアプリケーション処理部８３０から受け取る。そして、応答生成部８２３は、受け取ったユーザデータを含むデータパケットを生成する。この場合、応答生成部８２３は、データパケットの宛先ＩＰアドレスを、リクエストパケットの送信元ＩＰアドレス（移動通信用ＩＰアドレス）、送信元ＩＰアドレスを、サーバ８００のＩＰアドレスとしたデータパケットを生成する。応答生成部８２３は、生成したデータパケットをパケット送受信部８２１へ出力する。
【０１１９】
そして、応答生成部８２３は、応答処理を終了する（Ｓ２２３）。
【０１２０】
図１１に戻り、サーバ８００は、応答処理を終了すると（Ｓ２２）、パケットに返送先ＩＰアドレス及び返送先ポート番号があるか否かを判別する（Ｓ２３）。パケット受信処理（Ｓ１２）において、パケット送受信部８２１は、リクエストパケット内に返送先ＩＰアドレスと返送先ポート番号の有無を判別する場合がある（図１２のＳ２１４）。そのため、パケット送受信部８２１は、本処理（Ｓ２３）においては、Ｓ２１４の処理で「あり」と判別したか否かを確認している。
【０１２１】
サーバ８００は、リクエストパケットに返送先ＩＰアドレス及び返送先ポート番号がないと判別したとき（Ｓ２３で「返送先ＩＰ及び返送先ポート番号なし」のとき）、パケット送受信部８２１においてパケットを処理する（Ｓ２４）。パケット送受信部８２１は、応答処理（Ｓ２２）において応答生成部８２３からレスポンスパケットを受け取る（図１３のＳ２２２）。また、パケット送受信部８２１は、応答処理において、返送先ＩＰアドレス及び返送先ポート番号のないリクエストパケットに対応するデータパケットを応答生成部８２３から受け取る（図１３のＳ２２４）。したがって、パケット送受信部８２１は、本処理（Ｓ２４）において、応答生成部８２３から受け取ったレスポンスパケットとデータパケットとを回線インタフェース部８１０へ出力する処理を行う。
【０１２２】
そして、サーバ８００は一連の処理を終了する（Ｓ２５）。
【０１２３】
一方、サーバ８００は、リクエストパケットに返送先ＩＰアドレス及び返送先ポート番号があると判別したとき（Ｓ２３で「返送先ＩＰ及び返送先ポート番号あり」のとき）、パケット生成部８２２においてパケット生成処理を行う（Ｓ２６）。
【０１２４】
図１５はパケット生成処理の例を表すフローチャートである。
【０１２５】
パケット生成部８２２は、例えば、リクエストパケットをパケット送受信部８２１から受け取ると処理を開始する（Ｓ２６０）。
【０１２６】
次に、パケット生成部８２２は、受け取ったリクエストパケットから返送先ＩＰアドレスと返送先ポート番号を取得する（Ｓ２６１）。例えば、パケット生成部８２２は、リクエストパケットのＩＰデータ領域（又はＴＣＰペイロード領域）に含まれる返送先ＩＰアドレスと返送先ポート番号（例えば図８（Ｂ）、図９）を、リクエストパケットから抽出する。
【０１２７】
次に、パケット生成部８２２は、リクエストパケットをアプリケーション処理部８３０へ出力し、リクエストパケットに対応する処理の結果を受け取る（Ｓ２６２）。例えば、パケット生成部８２２は、処理の結果として、サービスに関するユーザデータをアプリケーション処理部８３０から受け取る。
【０１２８】
次に、パケット生成部８２２は、返送先ＩＰアドレスを宛先ＩＰアドレスとし、返送先ポート番号を宛先ポート番号とし、データ領域（又はＴＣＰペイロード領域）にユーザデータを含むデータパケットを生成する。そして、パケット生成部８２２は、生成したデータパケットをパケット送受信部８２１へ出力する（Ｓ２６３）。
【０１２９】
図１６（Ａ）と図１６（Ｂ）はデータパケットの構成例を表す図である。図１６（Ａ）に示すように、パケット生成部８２２は、ＩＰヘッダ領域の宛先ＩＰアドレス領域に、リクエストパケットに含まれる返送先ＩＰアドレスを挿入する。また、図１６（Ｂ）に示すように、パケット生成部８２２は、ＴＣＰヘッダ領域の宛先ポート番号領域に、リクエストパケットに含まれる返送先ポート番号を挿入する。
【０１３０】
図１１に戻り、サーバ８００は、パケット生成処理（Ｓ２６）を終了すると、パケット送受信部８２１においてデータパケットを処理する（Ｓ２４）。この場合、パケット送受信部８２１は、パケット生成部８２２から受け取ったデータパケットを、回線インタフェース部８１０などを経由して、端末１００へ向けて送信する。ただし、データパケットの宛先ＩＰアドレスが、返送先ＩＰアドレスとなっているため、ＧＷ６００では、サーバ８００から受信したデータパケットを公衆Ｗｉ−Ｆｉ網５００経由でＡＰ４００へ送信する。そして、ＡＰ４００は、データパケットを端末１００へ送信する。
【０１３１】
そして、サーバ８００は一連の処理を終了する（Ｓ２５）。
【０１３２】
＜３．無線通信システムのシーケンス例＞
図１７は無線通信システム１０における全体のシーケンス例を表す図である。
【０１３３】
端末１００のアプリケーション処理部１４０は、ユーザ操作を検出すると（Ｓ５０）、リクエストデータ生成部１３１に対して、リクエストデータの生成を要求する（Ｓ５１）。
【０１３４】
次に、リクエストデータ生成部１３１は、移動通信用回線インタフェース部１１０とＷｉ−Ｆｉ用回線インタフェース部１２０とに対して、ＩＰアドレスの取得を要求し（Ｓ５２）、２つの回線インタフェース部１１０，１２０からＩＰアドレスを取得する（Ｓ５３）。移動通信用回線インタフェース部１１０から取得したＩＰアドレスは、例えば、端末１００が基地局２００と無線通信を行うときに使用するＩＰアドレスである。また、Ｗｉ−Ｆｉ用回線インタフェース部１２０から取得したＩＰアドレスは、例えば、端末１００がＡＰ４００と無線通信を行うときに使用するＩＰアドレスであり、返送先ＩＰアドレスとして利用される。
【０１３５】
次に、リクエストデータ生成部１３１は、返送先ＩＰアドレスと返送先ポート番号とを含むリクエストパケット（例えば図８（Ｂ）、図９）を生成し（Ｓ５４）、生成したリクエストパケットをパケット送受信部１３２へ出力する（Ｓ５５）。
【０１３６】
リクエストパケットは、パケット送受信部１３２、移動通信用回線インタフェース部１１０及び基地局２００を経由して、サーバ８００へ送信される（Ｓ５６，Ｓ５７）。
【０１３７】
サーバ８００では、リクエストパケットを、回線インタフェース部８１０を経由して、パケット送受信部８２１で受信する（Ｓ５８）。  
【０１３８】
パケット送受信部８２１は、リクエストパケットに返送先ＩＰアドレスと返送先ポート番号が含まれていることを確認すると、リクエストパケットを応答生成部８２３とパケット生成部８２２へ出力する（Ｓ６０，Ｓ７０）。
【０１３９】
応答生成部８２３は、リクエストパケットに対してレスポンスパケット（例えば図１４）を生成し、生成したレスポイントパケットをパケット送受信部８２１へ出力する（Ｓ６１）。レスポンスパケットは、パケット送受信部８２１から回線インタフェース部８１０、基地局２００を経由して、端末１００へ送信される（Ｓ６２，Ｓ６３）。
【０１４０】
一方、パケット生成部８２２は、リクエストパケットをパケット送受信部８２１から受け取ると、受け取ったリクエストパケットをアプリケーション処理部８３０へ出力する（Ｓ７１）。
【０１４１】
パケット生成部８２２は、リクエストパケットに対するユーザデータをレスポンスとして、アプリケーション処理部８３０から受け取り（Ｓ７２）、受け取ったユーザデータを含むデータパケットを生成する。その際、パケット生成部８２２は、データパケットの宛先ＩＰアドレスを返送先ＩＰアドレス、宛先ポート番号を返送先ポート番号に書き換える（Ｓ７３）。
【０１４２】
パケット生成部８２２は、生成した（又は書き換えた）データパケットをパケット送受信部８２１へ出力する（Ｓ７４）。
【０１４３】
データパケットは、パケット送受信部８２１から回線インタフェース部８１０、ＡＰ４００などを経由して、端末１００へ送信される（Ｓ７５）。
【０１４４】
端末１００では、Ｗｉ−Ｆｉ用回線インタフェース部１２０において、サーバ８００から送信されたデータパケットを受信する（Ｓ７６）。
【０１４５】
Ｗｉ−Ｆｉ用回線インタフェース部１２０は、受信したデータパケットをパケット送受信部１３２へ出力し（Ｓ７７）、パケット送受信部１３２はデータパケットをアプリケーション処理部１４０へ出力する（Ｓ７８）。
【０１４６】
アプリケーション処理部１４０では、データパケットからユーザデータなどを抽出して、ユーザデータに対してアプリケーション処理を行い、動画を画面上に表示したり、音声をマイクから出力したりするなどの処理を行う（Ｓ８０）。これにより、ユーザは、リクエストしたサービスの提供をサーバ８００から受けることが可能となる。
【０１４７】
本第１の実施の形態においては、端末１００はリクエストパケットを、ＬＴＥ方式を利用して、基地局２００へ送信する。その際、端末１００は、無線ＬＡＮ方式で用いるＷｉ−Ｆｉ用ＩＰアドレス（又は返送先ＩＰアドレス）と、Ｗｉ−Ｆｉ通信で用いるポート番号（又は返送先ポート番号）とを、リクエストパケットに含めて送信する。
【０１４８】
一方、サーバ８００は、リクエストパケットに含まれるＷｉ−Ｆｉ用ＩＰアドレスを宛先ＩＰアドレスとし、Ｗｉ−Ｆｉ通信で用いるポート番号を、宛先用ポートと番号とするデータパケットを生成して、端末１００へ送信する。
【０１４９】
従って、端末１００は、リクエストパケットに対応するデータパケットを、無線ＬＡＮ方式を利用して、ＡＰ４００から受信することが可能となる。
【０１５０】
このように、本第１の実施の形態では、リクエストパケットが基地局２００を経由して送信され、データパケットがＡＰ４００を経由して端末１００へ送信される。従って、端末１００はＡＰ４００に対してリクエストパケットを送信することがなくなる。このため、複数の端末がＡＰ４００にアクセスした場合でも、リクエストパケットが送信されないため、リクエストパケットがＡＰ４００へ送信される場合と比較して、ＡＰ４００の負荷は減少する。この負荷の減少により、複数の端末がＡＰ４００にアクセスした場合でも、複数の端末がＡＰ４００へリクエストパケットを送信する場合と比較して、複数の端末がＡＰ４００からデータパケットを受信する可能性が高くなる。
【０１５１】
従って、本無線通信システム１０は、端末１００を利用するユーザを満足させる通信環境を提供することが可能となる。
【０１５２】
また、端末１００は、リクエストパケットに、端末１００がＷｉ−Ｆｉ通信を行うときに利用するＩＰアドレスを含めてサーバ８００へ送信している。従って、サーバ８００は、無線通信方式を分離して、リクエストパケットの宛先アドレスとは異なる、Ｗｉ−Ｆｉ用のＩＰアドレスを知ることができる。これにより、サーバ８００は、Ｗｉ−Ｆｉ用のＩＰアドレスを利用して、ＡＰ４００経由で端末１００へ、データパケットを送信することが可能となる。  
【０１５３】
さらに、端末１００はＬＴＥ方式を利用してリクエストパケットを送信している。そのため、無線ＬＡＮ方式を利用する場合と比較して、リクエストパケットの送信に対する信頼性も高くなり、リクエストパケットがサーバ８００へ時間をかけずに送信される可能性が高くなる。リクエストパケットの送信に対する信頼性という観点からも、本無線通信システム１０により、ユーザを満足させる通信環境を提供することが可能となる、と言える。
【０１５４】
さらに、ＡＰ４００では、リクエストパケットの受信について無線リソースを利用しなくてもよくなり、その無線リソースを、データパケットの送信に利用することも可能である。よって、本無線通信システム１０は、無線通信帯域を効率的に使用することが可能となる。
【０１５５】
さらに、端末１００は、リクエストパケットを基地局２００へ送信し、データパケットをＡＰ４００から受信する。このため、リクエストパケットとデータパケットが同じ無線リソースを利用して送信されることがなくなる。よって、本無線通信システム１０は、同じ無線リソースが用いられる場合と比較して、リクエストパケットとデータパケットの衝突の可能性を低くすることが可能となる。
【０１５６】
さらに、端末１００は、返送先ポート番号を含むリクエストパケットを送信している。従って、端末１００は、Ｗｉ−Ｆｉ用回線インタフェース部１２０を利用してサーバ８００から提供されるサービス又はアプリケーションの種類を予め特定して、そのサービス又はアプリケーションの提供を受けることが可能となる。
【０１５７】
［第２の他の実施の形態］
図１８は、第２の実施の形態における無線通信システム１０の他の構成例を表す図である。無線通信システム１０は、無線端末装置１００、サーバ装置８００、第１及び第２の無線基地局装置９００，９１０を備える。なお、例えば、第１の無線基地局装置９００は、第１の実施の形態における基地局２００に対応し、第２の無線基地局装置９１０は、第１の実施の形態におけるＡＰ４００に対応する。
【０１５８】
無線端末装置１００は、第１のアドレスを利用して第１の無線通信方式により第１の無線基地局装置９００と無線通信を行い、第２のアドレスを利用して第２の無線通信方式により第２の無線基地局装置９１０と無線通信を行う。
【０１５９】
無線端末装置１００は、リクエストデータ生成部１３１、第１及び第２の回線インタフェース部１６０，１７０を備える。なお、第１の回線インタフェース部１６０は、例えば、第１の実施の形態における移動通信用回線インタフェース部１１０に対応する。また、第２の回線インタフェース部１７０は、例えば、第１の実施の形態におけるＷｉ−Ｆｉ用回線インタフェース部１２０に対応する。
【０１６０】
リクエストデータ生成部１３１は、第１のアドレスを送信元アドレス、サーバ装置８００のアドレスを宛先アドレスとし、更に、第２のアドレスを含む、サーバ装置８００に対してサービスの提供を要求するリクエストパケットを生成する。
【０１６１】
第１の回線インタフェース部１６０は、生成されたリクエストパケットを第１の無線通信方式を利用して第１の無線基地局装置９００へ送信する。
【０１６２】
第２の回線インタフェース部１７０は、リクエストパケットに対して、第２のアドレスを宛先アドレスとしてサーバ装置８００から送信されたデータパケットを、第２の無線基地局装置９１０から第２の無線通信方式を利用して受信する。
【０１６３】
一方、サーバ装置８００は、第１の無線基地局装置９００又は第２の無線基地局装置９１０を介して無線端末装置１００へサービスを提供する。
【０１６４】
サーバ装置８００は、パケット送受信部８２１とパケット生成部８２２を備える。
【０１６５】
パケット送受信部８２１は、リクエストパケットを第１の無線基地局装置９００を介して無線端末装置１００から受信する。
【０１６６】
パケット生成部８２２は、受信したリクエストパケットに対して、リクエストパケットに含まれる第２のアドレスを宛先アドレスとするデータパケットを生成する。データパケットは、パケット送受信部８２１により、第２の無線基地局装置９１０を介して無線端末装置１００へ送信される。
【０１６７】
このように、本第２の実施の形態においては、無線端末装置１００は、サービスの提供を要求するリクエストパケットを第１の無線通信方式で第１の無線基地局装置９００へ送信し、データパケットを、第２の無線通信方式で第２の無線基地局装置９１０から受信する。
【０１６８】
従って、無線端末装置１００は、第２の無線通信方式で第２の無線基地局装置９１０へリクエストパケットを送信しなくてもよい。そのため、第２の無線基地局装置９１０では、リクエストパケットの受信に利用する無線リソースを、データパケットの送信に利用することが可能となる。よって、第２の無線基地局装置９１０では、複数の無線端末装置が接続された場合でも、複数の無線端末装置からのリクエストパケットを受信する場合と比較して、無線リソースを、複数の無線端末装置に対するデータパケットの送信に利用することが可能となる。これにより、第２の無線基地局装置９１０に複数の無線端末装置が接続された場合でも、複数の無線端末装置がリクエストパケットを第２の無線基地局装置９１０へ送信する場合と比較して、複数の端末装置は第２の無線基地局装置９１０からデータパケットを受信しやすくなる。よって、本無線通信システム１０は、無線端末装置１００を利用するユーザを満足する通信環境を提供することが可能となる。
【０１６９】
また、第２の無線基地局装置９１０では、リクエストパケットの受信に用いる無線リソースをデータパケットの送信に利用することができる。他方、第１の無線基地局装置９００では、リクエストパケットの受信に無線リソースを利用し、データパケットの送信に無線リソースを利用しなくてもよくなる。よって、第２の無線基地局装置９１０だけではなく、第１の無線基地局装置９００においても無線通信帯域を効率的に使用することが可能となる。
【０１７０】
［その他の実施の形態］
上述した第１の実施の形態では、基地局２００との無線通信についてはＬＴＥ方式であり、ＡＰ４００との無線通信については無線ＬＡＮ方式について説明した。例えば、端末１００において異なるアドレスを利用して、無線通信を行う方式であれば、それ以外の無線通信方式の組み合わせでもよい。例えば、基地局２００との無線通信はＬＴＥ−Ａｄｖａｎｃｅｄで、ＡＰ４００はＢｌｕｅ−ｔｏｏｔｈなどである。この場合、ＡＰ４００に代えて、基地局２００とし、異なるアドレスを利用して、４Ｇ（4th Generation）と５Ｇ（5th Generation）の無線通信方式を利用する場合でもよい。例えば、端末１００は４Ｇ方式を利用してリクエストパケットを基地局２００へ送信し、５Ｇ方式を利用してデータパケットを（ＡＰ４００に代えた）基地局から受信する、などである。或いは、３Ｇと４Ｇの組み合わせでもよいし、３Ｇと５Ｇとの組み合わせでもよい。
【０１７１】
また、上述した第１の実施の形態では、ＯＳＩ参照モデルにおけるトランスポートレイヤの例として、ＴＣＰについて説明した。例えば、ポート番号を利用するトランスポートレイヤのプロコトルであれば、ＴＣＰに代えて、ＵＤＰ（User datagram Protocol）やＳＣＴＰ（Stream Control Transmission Protocol）であってもよい。この場合、端末１００のリクエストデータ生成部１３１は、ＵＤＰペイロード領域やＳＣＴＰのデータ領域（又はデータチャンク領域）に、返送先ＩＰアドレスと返送先ポート番号とを挿入してリクエストパケットを生成すればよい。また、サーバ８００のパケット生成部８２２は、これらの領域に含まれる返送先ＩＰアドレスと返送先ポート番号とを、それぞれ宛先ＩＰアドレスと宛先ポート番号とするデータパケットに書き換えればよい。
【０１７２】
以上まとめると付記のようになる。
【０１７３】
（付記１）
第１のアドレスを利用して第１の無線通信方式により第１の無線基地局装置と無線通信を行い、第２のアドレスを利用して第２の無線通信方式により第２の無線基地局装置と無線通信を行う無線端末装置において、
前記第１のアドレスを送信元アドレス、サーバ装置のアドレスを宛先アドレスとし、更に、前記第２のアドレスを含む、前記サーバ装置に対してサービスの提供を要求するリクエストパケットを生成するリクエストデータ生成部と、
生成された前記リクエストパケットを前記第１の無線通信方式を利用して前記第１の無線基地局装置へ送信する第１の回線インタフェース部と、
前記リクエストパケットに対して、前記第２のアドレスを宛先アドレスとして前記サーバ装置から送信されたデータパケットを、前記第２の無線基地局装置から前記第２の無線通信方式を利用して受信する第２の回線インタフェース部と
を備えることを特徴とする無線端末装置。
【０１７４】
（付記２）
前記リクエストデータ生成部は、前記第２の回線インタフェース部において前記サーバ装置から提供されるサービスの種類を示すポート番号を含む前記リクエストパケットを生成することを特徴とする付記１記載の無線端末装置。
【０１７５】
（付記３）
前記第１及び第２のアドレス、前記送信元アドレス、前記サーバ装置のアドレス、前記宛先アドレスは、それぞれ第１及び第２のＩＰ（Internet Protocol）アドレス、送信元ＩＰアドレス、前記サーバ装置のＩＰアドレス、宛先ＩＰアドレスであって、
前記リクエストデータ生成部は、ヘッダ領域に、前記送信元ＩＰアドレスとして前記第１のＩＰアドレス、前記宛先ＩＰアドレスとして前記サーバ装置のＩＰアドレスとをそれぞれ挿入し、データ領域に前記第２のＩＰアドレスを挿入したＩＰパケットを、前記リクエストパケットとして生成することを特徴とする付記１記載の無線端末装置。
【０１７６】
（付記４）
前記リクエストデータ生成部は、前記第２の回線インタフェース部において前記サーバ装置から提供されるサービスの種類を示すポート番号を、前記データ領域に挿入した前記ＩＰパケットを、前記リクエストパケットとして生成することを特徴とする付記３記載の無線端末装置。
【０１７７】
（付記５）
前記リクエストデータ生成部は、トランスポートレイヤのパケットを前記ＩＰパケットのデータ領域に含み、前記トランスポートレイヤのパケットにおけるペイロード領域又はデータ領域に、前記第２のアドレスと前記ポート番号を挿入した前記ＩＰパケットを生成することを特徴とする付記４記載の無線端末装置。
【０１７８】
（付記６）
前記トランスポートレイヤのパケットは、ＴＣＰ（Transmission Control Protocol）パケットであることを特徴とする付記５記載の無線端末装置。
【０１７９】
（付記７）
前記第１の無線通信方式はスケジューリングにより無線リソースを割り当てて無線通信を行う方式であり、前記第２の無線通信方式はキャリアセンス方式により無線通信を行う方式であることを特徴とする付記１記載の無線端末装置。
【０１８０】
（付記８）
無線端末装置が第１のアドレスを利用して第１の無線通信方式により無線通信を行う第１の無線基地局装置、又は前記無線端末装置が第２のアドレスを利用して第２の無線通信方式により無線通信を行う第２の無線基地局装置を介して前記無線端末装置へサービスを提供するサーバ装置において、
前記第１のアドレスを送信元アドレス、サーバ装置のアドレスを宛先アドレスとし、更に、前記第２のアドレスを含むリクエストパケットを前記第１の無線基地局装置を介して前記無線端末装置から受信するパケット送受信部と、
受信した前記リクエストパケットに対して、前記リクエストパケットに含まれる前記第２のアドレスを宛先アドレスとするデータパケットを生成するパケット生成部とを備え、
前記パケット送受信部は、生成された前記データパケットを前記第２の無線基地局装置を介して前記無線端末装置へ送信することを特徴とするサーバ装置。
【０１８１】
（付記９）
前記パケット生成部は、前記リクエストパケットに含まれる、前記第２の無線基地局装置を介して前記無線端末装置へ提供するサービスの種類を示すポート番号を、前記データパケットの宛先ポート番号とする前記データパケットを生成することを特徴とする付記８記載のサーバ装置。
【０１８２】
（付記１０）
リクエストデータ生成部と、第１及び第２の回線インタフェース部を有し、第１のアドレスを利用して第１の無線通信方式により第１の無線基地局装置と無線通信を行い、第２のアドレスを利用して第２の無線通信方式により第２の無線基地局装置と無線通信を行う無線端末装置におけるパケット送信方法であって、
前記リクエストデータ生成部により、前記第１のアドレスを送信元アドレス、サーバ装置のアドレスを宛先アドレスとし、更に、前記第２のアドレスを含む、前記サーバ装置に対してサービスの提供を要求するリクエストパケットを生成し、
前記第１の回線インタフェース部により、生成された前記リクエストパケットを前記第１の無線通信方式を利用して前記第１の無線基地局装置へ送信し、
前記第２の回線インタフェース部により、前記リクエストパケットに対して、前記第２のアドレスを宛先アドレスとして前記サーバ装置から送信されたデータパケットを、前記第２の無線基地局装置から前記第２の無線通信方式を利用して受信する
ことを特徴とするパケット送信方法。
【０１８３】
（付記１１）
パケット送受信部とパケット生成部とを有し、無線端末装置が第１のアドレスを利用して第１の無線通信方式により無線通信を行う第１の無線基地局装置、又は前記無線端末装置が第２のアドレスを利用して第２の無線通信方式により無線通信を行う第２の無線基地局装置を介して前記無線端末装置へサービスを提供するサーバ装置におけるパケット送信方法であって、
前記パケット送受信部により、前記第１のアドレスを送信元アドレス、サーバ装置のアドレスを宛先アドレスとし、更に、前記第２のアドレスを含むリクエストパケットを前記第１の無線基地局装置を介して前記無線端末装置から受信し、
前記パケット生成部により、受信した前記リクエストパケットに対して、前記リクエストパケットに含まれる前記第２のアドレスを宛先アドレスとするデータパケットを生成し、
前記パケット送受信部により、生成された前記データパケットを前記第２の無線基地局装置を介して前記無線端末装置へ送信する
ことを特徴とするパケット送信方法。
【符号の説明】
【０１８４】
１０：無線通信システム              １００：無線端末装置
１１０：移動通信用回線インタフェース部
１２０：Ｗｉ−Ｆｉ用回線インタフェース部
１３０：通信制御部                  １３１：リクエストデータ生成部
１３２：パケット送受信部            １４０：アプリケーション処理部
１５０：ＣＰＵ                      １５１：メモリ
２００：無線基地局装置              ４００：ＡＰ
６００：ＧＷ                        ８００：サーバ装置
８１０：回線インタフェース部        ８２０：書き換え機能部
８２１：パケット送受信部            ８２２：パケット生成部
８２３：応答生成部                  ８３０：アプリケーション処理部
８５０：ＣＰＵ                      ８５１：メモリ
【図１】
2018191101.tif 000003
【図２】
2018191101.tif 000004
【図３】
2018191101.tif 000005
【図４】
2018191101.tif 000006
【図５】
2018191101.tif 000007
【図６】
2018191101.tif 000008
【図７】
2018191101.tif 000009
【図８】
2018191101.tif 000010
【図９】
2018191101.tif 000011
【図１０】
2018191101.tif 000012
【図１１】
2018191101.tif 000013
【図１２】
2018191101.tif 000014
【図１３】
2018191101.tif 000015
【図１４】
2018191101.tif 000016
【図１５】
2018191101.tif 000017
【図１６】
2018191101.tif 000018
【図１７】
2018191101.tif 000019
【図１８】
2018191101.tif 000020